(57)【特許請求の範囲】
【請求項１】
ＦＭ文字放送受信部と、
音質タグ付き文例データベースと、
前記音質タグ付き文例データベースを参照して、前記ＦＭ文字放送受信部から出力された文字データから交通情報パタンを持つ文字列を出力する交通情報抽出部と、
前記音質タグ付き文例データベースを参照して、音質タグを少なくとも含む言語情報を前記文字列に付与する言語情報出力部と、
前記音質タグに基づいて生成された韻律情報および声質情報に従って、音声を合成する音響処理部と、
を備え、
前記音声タグは、強調音声とあいまい音声との適用を示すタグである、音声合成装置。
【請求項２】
前記音響処理部は、前記強調音声のタグまたは前記あいまい音声のタグが前記文字列に付与されている場合に、母音部のホルマントバンド幅を変更する、請求項１に記載の音声合成装置。
【請求項３】
前記母音部のホルマントバンド幅は、変更前の標準ホルマントにおけるホルマントのエネルギーが変化しないように変更される、請求項２に記載の音声合成装置。
【請求項４】
音質タグ付き文例データベースを参照して、ＦＭ文字放送受信部から出力された文字データから交通情報パタンを持つ文字列を交通情報抽出部が出力し、
音質タグを少なくとも含む言語情報を前記文字列に言語情報出力部が付与し、
前記音声タグに基づいて生成された韻律情報および声質情報に従って、音響処理部が音声を合成する、音声合成方法であって、
前記音声タグは、強調音声とあいまい音声との適用を示すタグである、音声合成方法。
【請求項５】
前記音響処理部は、前記強調音声のタグまたは前記あいまい音声のタグが前記文字列に付与されている場合に、母音部のホルマントバンド幅を変更する、請求項４に記載の音声合成方法。
【請求項６】
前記母音部のホルマントバンド幅は、変更前の標準ホルマントにおけるホルマントのエネルギーが変化しないように変更される、請求項５に記載の音声合成方法。
【発明の詳細な説明】
【０００１】
【発明の属する技術分野】
本発明はテキストを音声に変換する音声合成方法および音声合成装置に属するものである。
【０００２】
【従来の技術】
波形重畳方式に代表される、従来の音声合成装置では、自立語のような発話の意味内容を示すことばと、付属語のような構文構造を示すことばが同じ明瞭度、同じ強度で発声されたため、聞き手は注意を絞ることが出来ず、長時間聴取すると疲労する音声となっていた。
【０００３】
【発明が解決しようとする課題】
しかしながら、波形重畳方式の音声合成では、自立語と付属語の音質を変えるためには、自立語用音声素片と付属語用音声素片を保持せねばならず、素片データの容量が大幅に増加するという課題があった。
【０００４】
この発明は上記の課題を鑑み、データ量を増加させずに言語情報あるいは意味情報に対応して声質を変化させる合成音声の音質調整方法と音声合成装置を提供することを目的とする。
【０００５】
【課題を解決するための手段】
上記の目的を達成するために、本発明の音声合成装置は、ＦＭ文字放送受信部と、音質タグ付き文例データベースと、前記音質タグ付き文例データベースを参照して、前記ＦＭ文字放送受信部から出力された文字データから交通情報パタンを持つ文字列を出力する交通情報抽出部と、前記音質タグ付き文例データベースを参照して、音質タグを少なくとも含む言語情報を前記文字列に付与する言語情報出力部と、前記音質タグに基づいて生成された韻律情報および声質情報に従って、音声を合成する音響処理部とを備え、前記音声タグは、強調音声とあいまい音声との適用を示すタグである。
【０００７】
本発明の音声合成方法は、音質タグ付き文例データベースを参照して、ＦＭ文字放送受信部から出力された文字データから交通情報パタンを持つ文字列を交通情報抽出部が出力し、音質タグを少なくとも含む言語情報を前記文字列に言語情報出力部が付与し、前記音声タグに基づいて生成された韻律情報および声質情報に従って、音響処理部が音声を合成する音声合成方法であって、前記音声タグは、強調音声とあいまい音声との適用を示すタグである。
【００１５】
【発明の実施の形態】
以下、本発明の音質調整方法と音声合成装置について、実施例を用いて説明する。
【００１６】
（実施の形態１）
図１は、本発明の実施の形態１における音声合成装置の概念構成と各部の入出力データの形式を示した機能ブロック図である。
【００１７】
図１において１１０は漢字かな混じりテキストを入力とし、形態素解析および構文解析を行い、読み、アクセント情報および自立語付属語判断情報を出力する言語処理部であり、１２０は言語処理部１１０より出力された読み、アクセント情報に従って、音韻ごとの時間長、ピッチおよびパワー情報(韻律情報)を生成する韻律制御部であり、１３０は韻律制御部１２０より出力された韻律情報と言語処理部１１０より出力された、自立語付属語判別情報に従って、音源-声道モデルのパラメータを制御して音声波形を生成する音響処理部である。
【００１８】
以上のように構成された音声合成装置の動作を説明する。言語処理１１０は入力された漢字かな混じりテキスト（１０１）「明日は全国的に晴れるところが多く、日中の気温は最高気温が30度を超えるところが多くなる見込みです。」を形態素解析および構文解析し、読み、アクセント区切り、アクセント、付属語記号を含む言語情報（１０２）を出力する。言語情報１０２は音韻をカタカナで示し、改行によりアクセント句を示し、アポストロフィ記号によりアクセントを示し、音韻記号を中カッコで囲むことで付属語を示している。韻律制御部は例えば特開平１２−０７５８８３のようにアクセント句のモーラ数とアクセント型に従って音韻ごとのピッチとパワーを決定し、音韻並びから音韻語との時間長を特定して、音韻毎に時間長、ピッチ、パワーの韻律情報を生成する。一方言語処理１１０より入力された付属語情報に基づいて、自立語に含まれる音韻は標準の声質、付属語に含まれる音韻はあいまいな声質を指定する声質情報を音韻毎に生成し、音韻毎の韻律情報及び声質情報（１０３）を出力する。音響処理部１３０は音韻毎の韻律情報および声質情報（１０３）に従って、音声を合成する。あいまいな声質が指定された音韻に付いては、音韻の母音部のホルマント周波数を各母音の特徴的ホルマント周波数の重心に近づけ、さらにホルマントバンド幅を標準の２倍にする。このときホルマントのエネルギーが標準ホルマントバンド幅の場合と変わらないようにエネルギーを調整する。上記のように標準声質のパラメータを変更することで、あいまい声質の音声を音韻単位で作り、パラメータを接続し韻律情報に合わせて音源パラメータを変更して、音声を合成する。
【００１９】
以上のように、本実施の形態の音声合成装置により、付属語に含まれる音韻のみをあいまいな声質で合成することができ、意味内容を伝える自立語を相対的に明瞭な声質で発声することにより、聴取者が自然に意味内容に注目でき、自然で疲れにくい合成音声を生成することが出来る。
【００２０】
（実施の形態２）
図２は、本発明の実施の形態2における音声合成装置の概念構成と各部の入出力データの形式を示した機能ブロック図である。
【００２１】
図２において２１０はFM電波を受信して電波に多重変調されている文字データを出力するFM文字放送受信部であり、２２０はFM文字放送受信部２１０が出力した文字データの中から交通情報を抜き出して出力する交通情報抽出部である。２３０は交通情報の文例と、文例毎にあらかじめ定められた、強調あるいはあいまいの声質指定情報とを保持する音質タグ付き文例データベースであり、２４０は交通情報抽出部２２０が出力した交通情報を音質タグ付きデータベース２３０のデータとマッチングし、音声出力のための読み、アクセント情報および音質情報を出力する言語情報出力部である。韻律制御部１２０、音響処理部１３０は図１と同様である。
【００２２】
以上のように構成された音声合成装置の動作を説明する。FM文字放送受信部２１０はFM電波を受信して文字データを抽出し、出力する。交通情報抽出部２２０はFM文字放送受信部２１０が出力した文字データより音質タグ付き文例データベース２３０を参照して交通情報のパタンを持つ情報のみ抽出し文字列（２０１）を出力する。言語情報出力部２４０は音質タグ付き文例データベース２３０を参照して路線、方向、始点等の構成要素をマッチングし、文字列２０１に最適な文例を選択する。交通情報の抽出と文例の選択は例えば、特開平０８−３３９４９０に示されるようなマッチングによって行うものとする。言語情報出力部２４０は文例に文字列２０１の構成要素を当てはめ、完結した文を生成しその文の読み、アクセント区切り、アクセント、音質タグを含む言語情報（２０２）を出力する。言語情報２０２は音韻をカタカナで示し、改行によりアクセント句を示し、アポストロフィ記号によりアクセントを示し、音韻記号を＜＞で囲むことで強調音声を適用する音韻列を示し、中カッコで囲むことであいまい音声を適用する音韻列を示している。韻律制御部は例えば特開平１２−０７５８８３のようにアクセント句のモーラ数とアクセント型に従って音韻ごとのピッチとパワーを決定し、音韻並びから音韻語との時間長を特定して、音韻毎に時間長、ピッチ、パワーの韻律情報を生成する。一方言語情報出力部２４０より出力された音質タグに基づいて、強調音声が指定された音韻については、強調のタグを付与し、あいまい音声を指定された音韻にはあいまい音声のタグを付与して音韻毎の韻律情報及び声質情報（２０３）を出力する。音響処理部１３０は音韻毎の韻律情報および声質情報（２０３）に従って、音声を合成する。強調タグが付与された音韻に付いては音韻の子音部のパワーを標準の１．１倍にし、母音部のホルマントバンド幅を標準の０．８倍にする。あいまいな声質が指定された音韻に付いては、音韻の母音部のホルマント周波数を各母音の特徴的ホルマント周波数の重心に近づけ、さらにホルマントバンド幅を標準の２倍にする。強調、あいまいのどちらのパラメータ変更についても、ホルマントのエネルギーが標準ホルマントバンド幅の場合と変わらないようにエネルギーを調整する。上記のように標準声質のパラメータを変更することで、強調音声、あいまい声質の音声を音韻単位で作り、パラメータを接続し韻律情報に合わせて音源パラメータを変更して、音声を合成する。
【００２３】
以上のように、本実施の形態の音声合成装置により、聴取者が注目すべき構成要素に対して強調音声で、意味内容に関連の小さい部分の音韻はあいまいな声質で合成することができ、聴取者が自然に意味内容に注目でき、自然で疲れにくい合成音声を生成することが出来る。
【００２４】
【発明の効果】
聴取者が注目すべき意味内容を示す部分を強調された明瞭な音声で提示し、意味内容を直接示さない部分をあいまいな音声で提示することにより、聴取者が自然に意味内容を示す部分に注目でき、自然で疲れない合成音声を生成することが出来る。
【図面の簡単な説明】
【図１】実施の形態１の音声合成装置の概念構成と各部の入出力データ形式を示すブロック図
【図２】実施の形態２の音声合成装置の概念構成と各部の入出力データ形式を示すブロック図
【符号の説明】
１１０  言語処理部
１２０  韻律制御部
１３０  音響処理部
２１０  FM文字放送受信部
２２０  交通情報抽出部
２３０  音質タグ付き文例データベース
【図１】
0003900892.tif 000002
【図２】
0003900892.tif 000003